(57)【要約】【課題】  撮影に関する情報を取得し、かつそれを効率的にかつ適切に情報システムへ提供することができる移動型放射線撮影装置及びその制御方法、プログラムを提供する。【解決手段】  情報システムから放射線撮影依頼情報を要求するための放射線撮影依頼情報要求を、ネットワークを介して情報システムへ送信する。その放射線撮影依頼情報要求に対応する放射線撮影依頼情報をネットワークを介して情報システムから受信する。受信した放射線撮影依頼情報を記憶する。ネットワークへの接続を検知し、その検知結果に基づいて、前記放射線撮影依頼情報要求に対応する放射線撮影依頼情報を取得する。【選択図】  図６
2006304886.tif 000002
【特許請求の範囲】
【請求項１】
ネットワークに接続されている撮影依頼情報を管理する情報システムに対して、前記ネットワークに接続することにより、情報の送受信を行う移動型放射線撮影装置であって、
前記情報システムに対して前記撮影依頼情報を要求するための撮影依頼情報要求を、前記ネットワークを介して前記情報システムへ送信する送信手段と、
前記撮影依頼情報要求に対応する前記撮影依頼情報を前記ネットワークを介して前記情報システムから受信する受信手段と、
前記受信手段により受信した撮影依頼情報を記憶する記憶手段と、
前記ネットワークへの接続を検知する検知手段と、
前記検知手段の検知結果に基づいて、前記撮影依頼情報要求に対応する前記撮影依頼情報を取得する取得手段と
を備えることを特徴とする移動型放射線撮影装置。
【請求項２】
前記取得手段は、
前記検知手段の検知の結果、当該移動型放射線撮影装置が前記ネットワークに接続されている場合は、前記撮影依頼情報要求に対応する撮影依頼情報を前記ネットワークを介して、前記情報システムから取得し、
前記検知手段の検知の結果、当該移動型放射線撮影装置が前記ネットワークに接続されていない場合は、前記撮影依頼情報要求に対応する、前記記憶手段に既に記憶されている撮影依頼情報を前記記憶手段から取得する
ことを特徴とする請求項１に記載の移動型放射線撮影装置。
【請求項３】
前記受信手段から受信した撮影依頼情報による撮影の撮影状態通知を前記ネットワークを介して前記情報システムへ送信する撮影状態通知手段と、
前記記憶手段に記憶した撮影依頼情報が既に撮影済であることを示す識別情報を、前記撮影依頼情報に設定する設定手段と
を更に備えることを特徴とする請求項１に記載の移動型放射線撮影装置。
【請求項４】
前記検知手段が前記ネットワークへの接続を検知した際、前記記憶手段に記憶されている撮影依頼情報の内、撮影済を示す前記識別情報が設定されている撮影依頼情報について、撮影開始通知と撮影終了通知を前記ネットワークを介して前記情報システムに送信する
ことを特徴とする請求項３に記載の移動型放射線撮影装置。
【請求項５】
前記撮影状態通知手段は、
前記受信手段により撮影依頼情報を受信した際に、受信した全ての撮影依頼情報に対するそれぞれの撮影開始通知を前記ネットワークを介して前記情報システムに送信し、
前記検知手段が前記ネットワークへの接続を検知した際に、前記記憶手段に記憶されている撮影依頼情報の内、撮影済を示す前記識別情報が設定されている撮影依頼情報については、撮影終了通知を前記ネットワークを介して前記情報システムへ送信し、撮影済を示す前記識別情報が設定されていない撮影依頼情報については、撮影キャンセル通知を前記ネットワークを介して前記情報システムへ送信する
ことを特徴とする請求項３に記載の移動型放射線撮影装置。
【請求項６】
前記撮影依頼情報に基づく撮影の撮影終了時刻を記憶する時刻記憶手段を更に備え、
前記撮影状態通知手段は、前記撮影終了通知を前記ネットワークを介して前記情報システムへ送信する際に、対応する前記撮影終了時刻を前記時刻記憶手段から取得して前記撮影終了通知に設定する
ことを特徴とする請求項５の移動型放射線撮影装置。
【請求項７】
前記撮影依頼情報に基づく撮影の撮影開始時刻及び撮影終了時刻を記憶する時刻記憶手段を更に備え、
前記撮影状態通知手段は、前記撮影開始通知を前記ネットワークを介して前記情報システムへ送信する際に、対応する前記撮影開始時刻を前記時刻記憶手段から取得して前記撮影開始通知に設定し、前記撮影終了通知を前記ネットワークを介して前記情報システムへ送信する際に、対応する前記撮影終了時刻を前記時刻記憶手段から取得して前記撮影終了通知に設定する
ことを特徴とする請求項４の移動型放射線撮影装置。
【請求項８】
ネットワークに接続されている撮影依頼情報を管理する情報システムに対して、前記ネットワークに接続することにより、情報の送受信を行う移動型放射線撮影装置の制御方法であって、
前記情報システムに対して前記撮影依頼情報を要求するための撮影依頼情報要求を、前記ネットワークを介して前記情報システムへ送信する送信工程と、
前記撮影依頼情報要求に対応する前記撮影依頼情報を前記ネットワークを介して前記情報システムから受信する受信工程と、
前記受信工程により受信した撮影依頼情報を記憶媒体に記憶する記憶工程と、
前記ネットワークへの接続を検知する検知工程と、
前記検知工程の検知結果に基づいて、前記撮影依頼情報要求に対応する前記撮影依頼情報を取得する取得工程と
を備えることを特徴とする移動型放射線撮影装置の制御方法。
【請求項９】
ネットワークに接続されている撮影依頼情報を管理する情報システムに対して、前記ネットワークに接続することにより、情報の送受信を行う移動型放射線撮影装置の制御を実現するプログラムであって、
前記情報システムに対して前記撮影依頼情報を要求するための撮影依頼情報要求を、前記ネットワークを介して前記情報システムへ送信する送信工程のプログラムコードと、
前記撮影依頼情報要求に対応する前記撮影依頼情報を前記ネットワークを介して前記情報システムから受信する受信工程のプログラムコードと、
前記受信工程により受信した撮影依頼情報を記憶媒体に記憶する記憶工程のプログラムコードと、
前記ネットワークへの接続を検知する検知工程のプログラムコードと、
前記検知工程の検知結果に基づいて、前記撮影依頼情報要求に対応する前記撮影依頼情報を取得する取得工程のプログラムコードと
を備えることを特徴とするプログラム。
【発明の詳細な説明】
【技術分野】
【０００１】
本発明は、  ネットワークに接続されている撮影依頼情報を管理する情報システムに対して、前記ネットワークに接続することにより、情報の送受信を行う移動型放射線撮影装置及びその制御方法、プログラムに関するものである。
【背景技術】
【０００２】
Ｘ線に代表される放射線の物質透過能力を用いて、その透過強度分布を画像化する技術は、近代医療技術発展の基本となるものである。Ｘ線発見以来、それが被写体を透過して得られるＸ線強度分布の画像化は、Ｘ線強度分布を蛍光体により可視光に変換した後、銀塩フィルムで潜像を作り現像するという方法が取られてきた。
【０００３】
近年、Ｘ線画像をデジタル化する際は、輝尽性蛍光体を用い、Ｘ線照射による輝尽性蛍光体上の蓄積エネルギ分布としての潜像をレーザ光で励起して読み出し、デジタル画像化する、いわゆる、イメージングプレートを用いる方法が一般化してきた。
【０００４】
また、半導体技術の進歩により、被検体である人体の大きさをカバーできる大判の固体撮像素子、いわゆる、フラットパネルディテクタも開発され、潜像をつくることなく直接、被検体のＸ線画像をデジタル化し、効率のよい診断が行えるようになってきた。
【０００５】
一方、病院内の情報ネットワークの整備に伴い、ネットワーク上で情報を扱う情報システムとして、病院情報システム（ＨＩＳ：Hospital Information System）、放射線情報システム（ＲＩＳ：Radiology Information System）、画像保管通信システム（ＰＡＣＳ：Picture Archiving and Communication System）等と呼ばれる情報システムが発達し、放射線撮影装置の運用に密接に関連している。
【０００６】
病院情報システムは、患者情報（例えば、患者ＩＤ、患者氏名、性別、生年月日等）や会計情報等の病院内の管理情報全般を扱う。放射線情報システムは、診療科から画像の撮影依頼を受け、放射線科にどの患者のどの部位をどのような撮影機材で撮影するかを明確にして撮影依頼を発行する等の画像撮影に関する情報の管理や、撮影依頼先から撮影開始や撮影終了等の通知を受信して撮影状態の管理を行う。画像保管通信システムは、撮影画像データを保管し、過去の撮影画像データの視認依頼があれば、必要な撮影画像データを検索して配信する等の画像データの保管管理を行う。
【０００７】
病院内の放射線撮影装置には、撮影室に固定された据置型と、院内を移動可能な移動型がある。据置型放射線撮影装置は、病院内の各情報システムに対してオンラインで接続されており、ＲＩＳから撮影依頼情報を受信したり、撮影開始／終了の状態をＲＩＳに送信したり、撮影画像をＰＡＣＳに送信したりすることができる。
【０００８】
一方、移動型放射線撮影装置は、病室、手術室、集中治療室、救急処置室等の病院内施設に運ぶことで、撮影室に来ることのできない患者の放射線撮影を行うことが可能である。また、移動型であるため、通常は、ケーブルでネットワークに接続することが困難であるが、例えば、特許文献１では、無線を用いてネットワークに接続可能な移動型放射線撮影装置が提案されており、移動型であっても据置型と同様に病院内の各情報システムにアクセスすることができるようになっている。
【特許文献１】特開2004-41698号公報
【発明の開示】
【発明が解決しようとする課題】
【０００９】
上述したように、従来の移動型放射線撮影装置で病院内の情報システムにアクセスするには、無線の設備が必要である。
【００１０】
しかしながら、病院内は医療用機器の誤動作や、患者の心臓ペースメーカーへの影響が懸念される。そのため、電波を発する機器の使用が制限されている場合もあり、無線設備を導入できないこともある。このような環境の場合、従来の無線を利用した移動型放射線撮影装置は、無線を介したネットワークへのアクセスが許されないので、導入が困難であった。
【００１１】
本発明は上記の課題を解決するためになされたものであり、無線を利用しなくても、撮影に関する情報を取得し、かつそれを効率的にかつ適切に情報システムへ提供することができる移動型放射線撮影装置及びその制御方法、プログラムを提供することを目的とする。
【課題を解決するための手段】
【００１２】
上記の目的を達成するための本発明による移動型放射線撮影装置は以下の構成を備える。即ち、
ネットワークに接続されている撮影依頼情報を管理する情報システムに対して、前記ネットワークに接続することにより、情報の送受信を行う移動型放射線撮影装置であって、
前記情報システムに対して前記撮影依頼情報を要求するための撮影依頼情報要求を、前記ネットワークを介して前記情報システムへ送信する送信手段と、
前記撮影依頼情報要求に対応する前記撮影依頼情報を前記ネットワークを介して前記情報システムから受信する受信手段と、
前記受信手段により受信した撮影依頼情報を記憶する記憶手段と、
前記ネットワークへの接続を検知する検知手段と、
前記検知手段の検知結果に基づいて、前記撮影依頼情報要求に対応する前記撮影依頼情報を取得する取得手段と
を備える。
【００１３】
また、好ましくは、前記取得手段は、
前記検知手段の検知の結果、当該移動型放射線撮影装置が前記ネットワークに接続されている場合は、前記撮影依頼情報要求に対応する撮影依頼情報を前記ネットワークを介して、前記情報システムから取得し、
前記検知手段の検知の結果、当該移動型放射線撮影装置が前記ネットワークに接続されていない場合は、前記撮影依頼情報要求に対応する、前記記憶手段に既に記憶されている撮影依頼情報を前記記憶手段から取得する。
【００１４】
また、好ましくは、前記受信手段から受信した撮影依頼情報による撮影の撮影状態通知を前記ネットワークを介して前記情報システムへ送信する撮影状態通知手段と、
前記記憶手段に記憶した撮影依頼情報が既に撮影済であることを示す識別情報を、前記撮影依頼情報に設定する設定手段と
を更に備える。
【００１５】
また、好ましくは、前記検知手段が前記ネットワークへの接続を検知した際、前記記憶手段に記憶されている撮影依頼情報の内、撮影済を示す前記識別情報が設定されている撮影依頼情報について、撮影開始通知と撮影終了通知を前記ネットワークを介して前記情報システムに送信する。
【００１６】
また、好ましくは、前記撮影状態通知手段は、
前記受信手段により撮影依頼情報を受信した際に、受信した全ての撮影依頼情報に対するそれぞれの撮影開始通知を前記ネットワークを介して前記情報システムに送信し、
前記検知手段が前記ネットワークへの接続を検知した際に、前記記憶手段に記憶されている撮影依頼情報の内、撮影済を示す前記識別情報が設定されている撮影依頼情報については、撮影終了通知を前記ネットワークを介して前記情報システムへ送信し、撮影済を示す前記識別情報が設定されていない撮影依頼情報については、撮影キャンセル通知を前記ネットワークを介して前記情報システムへ送信する。
【００１７】
また、好ましくは、前記撮影依頼情報に基づく撮影の撮影終了時刻を記憶する時刻記憶手段を更に備え、
前記撮影状態通知手段は、前記撮影終了通知を前記ネットワークを介して前記情報システムへ送信する際に、対応する前記撮影終了時刻を前記時刻記憶手段から取得して前記撮影終了通知に設定する。
【００１８】
また、好ましくは、前記撮影依頼情報に基づく撮影の撮影開始時刻及び撮影終了時刻を記憶する時刻記憶手段を更に備え、
前記撮影状態通知手段は、前記撮影開始通知を前記ネットワークを介して前記情報システムへ送信する際に、対応する前記撮影開始時刻を前記時刻記憶手段から取得して前記撮影開始通知に設定し、前記撮影終了通知を前記ネットワークを介して前記情報システムへ送信する際に、対応する前記撮影終了時刻を前記時刻記憶手段から取得して前記撮影終了通知に設定する。
【００１９】
上記の目的を達成するための本発明による移動型放射線撮影装置の制御方法は以下の構成を備える。即ち、
ネットワークに接続されている撮影依頼情報を管理する情報システムに対して、前記ネットワークに接続することにより、情報の送受信を行う移動型放射線撮影装置の制御方法であって、
前記情報システムに対して前記撮影依頼情報を要求するための撮影依頼情報要求を、前記ネットワークを介して前記情報システムへ送信する送信工程と、
前記撮影依頼情報要求に対応する前記撮影依頼情報を前記ネットワークを介して前記情報システムから受信する受信工程と、
前記受信工程により受信した撮影依頼情報を記憶媒体に記憶する記憶工程と、
前記ネットワークへの接続を検知する検知工程と、
前記検知工程の検知結果に基づいて、前記撮影依頼情報要求に対応する前記撮影依頼情報を取得する取得工程と
を備える。
【００２０】
上記の目的を達成するための本発明によるプログラムは以下の構成を備える。即ち、
ネットワークに接続されている撮影依頼情報を管理する情報システムに対して、前記ネットワークに接続することにより、情報の送受信を行う移動型放射線撮影装置の制御を実現するプログラムであって、
前記情報システムに対して前記撮影依頼情報を要求するための撮影依頼情報要求を、前記ネットワークを介して前記情報システムへ送信する送信工程のプログラムコードと、
前記撮影依頼情報要求に対応する前記撮影依頼情報を前記ネットワークを介して前記情報システムから受信する受信工程のプログラムコードと、
前記受信工程により受信した撮影依頼情報を記憶媒体に記憶する記憶工程のプログラムコードと、
前記ネットワークへの接続を検知する検知工程のプログラムコードと、
前記検知工程の検知結果に基づいて、前記撮影依頼情報要求に対応する前記撮影依頼情報を取得する取得工程のプログラムコードと
を備える。
【発明の効果】
【００２１】
本発明によれば、撮影に関する情報を取得し、かつそれを効率的にかつ適切に情報システムへ提供することができる移動型放射線撮影装置及びその制御方法、プログラムを提供できる。
【発明を実施するための最良の形態】
【００２２】
以下、本発明の実施の形態について図面を用いて詳細に説明する。
【００２３】
本発明では、無線設備のない、あるいは無線の利用が禁止されている病院における回診であっても、病院内の情報システムから受信した撮影依頼情報に基づいて撮影を行い、また、撮影開始や撮影終了の通知を行うことができる移動型放射線撮影装置について説明する。
【００２４】
また、撮影開始や撮影終了を通知する際に正しい撮影開始時刻や撮影終了時刻を付加できる移動型放射線撮影装置について説明する。
【００２５】
＜実施形態１＞
図１は本発明の実施形態１の移動型放射線撮影装置の模式図である。
【００２６】
１１は移動型放射線撮影装置（以下、撮影装置と略称する）の本体であり、下部には車輪が付いており、撮影室に来られない患者の病室等の病院内施設まで移動することができる。１２はＸ線管球１３を支持する可動型アームであり、Ｘ線管球１３を撮影に適した位置に自在に配置することができる。
【００２７】
１４はＸ線検出部であり、被検体１５（患者）を透過してきたＸ線の強度に応じたアナログ信号をＡ／Ｄ変換によってデジタル画像データを取得する。このＸ線検出部１４の例には、例えば、フラットパネルディテクタがある。撮影の際は、被検体１５の撮影部位によって、Ｘ線検出部１４とＸ線管球１３を適切な位置に配置し、Ｘ線を照射して撮影を実行する。
【００２８】
次に、病院内の情報システムの構成について、図２を用いて説明する。
【００２９】
図２は本発明の実施形態１の情報システムの構成を示す図である。
【００３０】
２１は病院内ネットワークであり、様々な情報機器が接続される。撮影装置１１は、ネットワークケーブルを介して病院内ネットワーク２１に接続して、ＲＩＳ２２やＰＡＣＳ２３と情報の交換をすることができる。
【００３１】
尚、病院内ネットワーク１２は、典型的にはインターネットやＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、データの送受信が可能であれば良い。
【００３２】
ＲＩＳ２２は放射線情報システムであり、各診療科から依頼された放射線撮影依頼情報（以下、撮影依頼情報と略称する）や、病院内の各種モダリティ（撮影装置等）に関するモダリティ情報等の各種情報の記憶管理を行う。また、ＰＡＣＳ２３は、病院内ネットワーク２１に接続される各種モダリティから医療画像（撮影画像等）を収集して、記憶管理する。
【００３３】
撮影装置１１は、回診に行く前は病院内ネットワーク２１に接続されており、ＲＩＳ２２に撮影依頼情報要求を送信する。ＲＩＳ２２は撮影依頼情報要求を受信すると、撮影装置１１に撮影依頼情報を送信する。撮影装置１１は、受信した撮影依頼情報を内部の記憶媒体に記憶する。回診時は、撮影装置１１を病院内ネットワーク２１から切り離し、撮影先に移動して撮影を行う。また、撮影装置１１は、回診から戻ると、再び、病院内ネットワーク２１に接続して撮影画像をＰＡＣＳ２３に送信する。
【００３４】
尚、ＲＩＳ２２とＰＡＣＳ２３は別体の機器として構成されているが、両者機能が一体となった機器で構成されてもよい。
【００３５】
また、ＲＩＳ２２、ＰＡＣＳ２３等の各種機器はそれぞれ、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。
【００３６】
次に、撮影装置１１の内部構成について、図３を用いて説明する。
【００３７】
図３は本発明の実施形態１の移動型放射線撮影装置の内部構成を示すブロック図である。
【００３８】
撮影装置１１の内部には、バッテリー３４が内蔵されており、コントロール部３１、Ｘ線検出部１４、発生部３５に電源を供給する。バッテリー３４は、回診から戻った際、次に回診に出るまでの間の待機中に充電される。
【００３９】
コントロール部３１は、Ｘ線検出部１４、発生部３５、表示・操作部３３と接続されており、撮影装置１１の全体の動作を制御する。また、コントロール部３１の内部には、ＮＩＣ３２（ネットワークインターフェースカード）が内蔵されており、病院内ネットワーク２１に接続できるようになっている。
【００４０】
撮影装置１１は、ＮＩＣ３２を介してＲＩＳ２２やＰＡＣＳ２３と通信を行う。また、コントロール部３１には、撮影依頼情報を記憶するための記憶部３６が含まれており、ＲＩＳ２２から受信した複数の撮影依頼情報を記憶することができる。更に、コントロール部３１には、ネットワーク接続を検知する検知部３７が含まれている。
【００４１】
表示・操作部３３は、例えば、タッチパネル付きのディスプレイ及び各種キー、ボタン等で構成され、撮影装置１１の操作に係るユーザインターフェースの役割を担う。この表示・操作部３３は、オペレータに対して情報を表示すると同時にオペレータからの各種入力を受け付ける。コントロール部３１は、表示・操作部３３からの入力に従って、発生部３５やＸ線検出部１４の制御を行う。発生部３５は、コントロール部３１から受信した管電圧、管電流、照射時間等の制御情報に従って、Ｘ線管球１３を適切に制御してＸ線を発生させる。
【００４２】
次に、撮影装置１１がＲＩＳ２２に対して発行する、撮影依頼情報要求の一例について、図４を用いて説明する。
【００４３】
図４は本発明の実施形態１の撮影依頼情報要求の一例を示す図である。
【００４４】
撮影依頼情報要求４１は、ＲＩＳ２２が撮影依頼情報を検索するための情報である。撮影依頼情報要求４１をＲＩＳ２２に送信すると、ＲＩＳ２２は、その撮影依頼情報要求４１で指定される検索条件に合致する撮影依頼情報を検索して、撮影装置１１に送信する。
【００４５】
撮影依頼情報要求４１において、予約済ＡＥステーション名は撮影機器の名称であり、この名称を指定すると、この名称の撮影機器で予約された撮影依頼情報をＲＩＳ２２から検索することがきる。予約済手続ステップ開始日付と予約済手続ステップ開始時刻は、日付や時刻で予約された撮影依頼情報をＲＩＳ２２から検索することができる。
【００４６】
モダリティーは撮影装置の種類を示す値で、例えば、デジタルラジオグラフィーを示す「ＤＸ」を指定する。ＲＩＳ２２は、ＣＴ等の他の撮影装置の撮影依頼情報も扱っているため、モダリティーに適切な値を指定してデジタルラジオグラフィーの撮影依頼情報を検索することができる。
【００４７】
その他にも、予約済実行医師の名前、予約済ステーション名（この撮影機器の施設定義の名称）、予約済手続ステップ場所（撮影が実行されることが予約された場所）、受付番号、患者の名前、患者ＩＤを検索条件として指定することができる。
【００４８】
次に、ＲＩＳ２２が撮影装置１１に対して発行する、撮影依頼情報の一例について、図５を用いて説明する。
【００４９】
図５は本発明の実施形態１の撮影依頼情報の一例を示す図である。
【００５０】
撮影依頼情報５１は、撮影装置１１が送信した撮影依頼情報要求４１に基づいて、ＲＩＳ２２が記憶管理する撮影依頼情報群から適切な撮影依頼情報を検索した検索結果であり、撮影装置１１に対して送信される。撮影依頼情報要求４１によって指定された検索条件によっては、撮影依頼情報５１は複数になる可能性もある。
【００５１】
撮影依頼情報５１には、撮影に必要な情報や患者情報が含まれている。コード値は、撮影装置１１の表示・操作部１１に配置される撮影ボタンのプロシージャＩＤ（撮影ボタンを識別する番号）である。
【００５２】
ここで、撮影装置１１は、表示・操作部１１上に、撮影部位に応じて様々な照射条件の撮影ボタンを構成している。そのため、撮影装置１１は、ＲＩＳ２２から受信した撮影依頼情報５１に含まれるコード値に基づいて、どの撮影ボタンを使用するかを決定することができる。一人の患者で複数の撮影を行う場合は、複数のコード値が指定される。コード値の意味は、そのコード値に対応する撮影部位の名称である。
【００５３】
その他にも、検査を識別する番号である検査インスタンスＵＩＤ、予約済実行医師の名前、受付番号、依頼側医師、依頼部門が含まれる。また、患者情報として、患者の名前、患者ＩＤ、患者の誕生日、患者の性別、患者の体重、患者の身長、患者の年齢が含まれる。患者情報は、表示・操作部３３に表示され本人確認のために使用される。さらに、撮影画像に付加されて撮影依頼情報５１からＰＡＣＳ２３に送信される。
【００５４】
次に、実施形態１の移動型放射線撮影装置１１が実行する処理について、図６を用いて説明する。
【００５５】
図６は本発明の実施形態１の移動型放射線撮影装置が実行する処理を示すフローチャートである。
【００５６】
尚、撮影装置１１の表示・操作部３３には、検査を選択するための検査ボタン（不図示）があり、この検査ボタンを押下することにより、図６のフローチャートが開始される。
【００５７】
まず、ステップＳ７０１で、ＲＩＳ２２からの撮影依頼情報の取得を実行する。
【００５８】
ここで、このステップＳ７０１の処理の詳細について、図７を用いて説明する。
【００５９】
図７は本発明の実施形態１のステップＳ７０１の処理の詳細を示すフローチャートである。
【００６０】
ステップＳ８０１で、撮影装置１１が、病院内ネットワーク２１に接続されているか否かを判定する。これは、検知部３７を用いて判定する。病院内ネットワーク２１に接続されていると判定した場合（ステップＳ８０１でＹＥＳ）、ステップＳ８０２に進み、ＲＩＳ２２に対して撮影依頼情報要求４１を送信する。一方、ＲＩＳ２２は撮影依頼情報要求４１に合致する撮影依頼情報５１を検索し、撮影装置１１に送信する。
【００６１】
ステップＳ８０３で、ＲＩＳ２２から送信された撮影依頼情報５１を受信する。次に、ステップＳ８０４で、受信した撮影依頼情報５１を記憶部３６に記憶する。記憶部３６に記憶する際は、撮影依頼情報５１に検査済フラグ（撮影済（検査済）であることを示す識別情報）の項目を追加して記憶する。この検査済フラグは、撮影が実施されたかどうかを示す情報である。この時、記憶部３６に、既に撮影依頼情報が存在する場合は消去してから今回受信した撮影依頼情報を記憶する。
【００６２】
一方、ステップＳ８０１において、病院内ネットワーク２１に接続されていないと判定した場合（ステップＳ８０１でＮＯ）、ステップＳ８０５に進み、コントロール部３１内の記憶部３６に既に記憶されている撮影依頼情報５１（つまり、過去に病院内ネットワーク２１に接続した際に、ＲＩＳ２２から受信した撮影依頼情報）を取得して、処理を終了する。
【００６３】
図６の説明に戻る。
【００６４】
ステップＳ７０２で、取得した撮影依頼情報５１をリスト形式からなるリスト画面を生成して、表示・操作部３３に表示する。ここで、リスト画面を表示する際は、検査済フラグがセットされていない撮影依頼情報だけを表示するようにしてもよい。
【００６５】
ステップＳ７０３で、オペレータの操作に基づいて、所望の撮影依頼情報を選択する。ステップＳ７０４で、選択した撮影依頼情報に基づいて、撮影を実行する。選択した撮影依頼情報で指定された内容の撮影が終了したら、ステップＳ７０５で、撮影終了の処理を実行する。
【００６６】
ここで、ステップＳ７０５の処理の詳細について、図８を用いて説明する。
【００６７】
図８は本発明の実施形態１のステップＳ７０５の処理の詳細を示すフローチャートである。
【００６８】
まず、ステップＳ９０１で、記憶部３６内の今実施した撮影に対応する撮影依頼情報５１に検査済フラグをセットして撮影済であることを示す情報を記憶する。次に、ステップＳ９０２で、病院内ネットワーク２１に接続されているか否かを判定する。ここで、病院内ネットワーク２１に接続されていると判定した場合（ステップＳ９０２でＹＥＳ）、ステップＳ９０３に進み、ＰＡＣＳ２３に撮影済の全ての撮影画像を送信して処理を終了する。
【００６９】
一方、ステップＳ９０２において、病院内ネットワーク２１に接続されていないと判定した場合（ステップＳ９０２でＮＯ）、処理を終了する。
【００７０】
以上説明したように、実施形態１によれば、移動型放射線撮影装置は、回診に出る前に病院内ネットワーク２１に接続されているＲＩＳ２２から放射線撮影依頼情報５１を取得して記憶部３６に記憶し、回診中は、記憶部３６から放射線撮影依頼情報を取得するので、無線設備を設置できない病院においても、外部の情報システムから取得した放射線撮影依頼情報に基づいた撮影を行うことができる。
【００７１】
＜実施形態２＞
実施形態２で使用する移動型放射線撮影装置は、実施形態１と同等であるが、実施形態２では、さらに、撮影装置１１の撮影によって得られる各種撮影状態（これは、一旦、記憶部３６に記憶される）に基づいて、ＲＩＳ２２に対して、放射線撮影開始通知、放射線撮影終了通知等の放射線撮影状態通知（以下、撮影状態通知と略称する）を送信する構成について説明する。
【００７２】
まず、撮影状態通知の一例について、図９を用いて説明する。
【００７３】
図９は本発明の実施形態２の撮影状態通知の一例を示す図である。
【００７４】
撮影状態通知６１が示す実施済手続状態は、「開始」、「終了」、「キャンセル」の３種類の値をとることができる。そして、その値により、撮影状態通知６１は、放射線撮影開始通知（撮影開始通知と略称する）、放射線撮影終了通知（撮影終了通知と略称する）、放射線撮影キャンセル通知（撮影キャンセル通知と略称する）となる。
【００７５】
実施済手続ステップ開始日付、実施済手続ステップ開始時刻、実施済手続ステップ終了日付、実施済手続ステップ終了時刻はそれぞれ、検査を開始した日付と時刻、検査を終了した日付と時刻である。実施ＡＥステーション名は、実際に撮影を行った撮影機器の名称である。実施医師の名前は撮影を行った技師の名前である。その他の項目は、図５の撮影依頼情報と同様である。
【００７６】
ここで、従来技術のように、病院内ネットワーク２１に、無線を介して常に接続されている使用する撮影装置では、撮影開始通知は検査開始時にＲＩＳ２２に送信し、撮影終了通知及び撮影キャンセル通知は検査終了時にＲＩＳ２２に送信することができる。
【００７７】
これに対し、本発明の撮影装置では、無線を使用しないので回診時は検査開始時も検査終了時も病院内ネットワーク２１から切り離された状態である。従って、無線を使用する撮影装置とは異なるタイミングで撮影開始通知、撮影終了通知を送信する。以下、そのタイミングを説明する。
【００７８】
ここで、撮影開始から撮影終了までの処理は、実施形態１の図６と同様であり、ステップＳ７０１の詳細は、実施形態１の図７と同様である。これに対し、ステップＳ７０５の詳細は、実施形態１とは異なるので、これについて、図１０を用いて説明する。
【００７９】
図１０は本発明の実施形態２のステップＳ７０５の処理の詳細を示すフローチャートである。
【００８０】
尚、図１０のステップＳ１１０１〜１１０３は、実施形態１の図８のステップＳ９０１〜ステップＳ９０３に対応し、その説明は省略する。
【００８１】
つまり、実施形態２では、ステップＳ１１０１〜ステップＳ１１０３の処理後、ステップＳ１１０４で、記憶部３６に記憶している撮影依頼情報の検査済フラグを参照して、検査済フラグがセットされている撮影依頼情報に対し、撮影状態通知として、撮影開始通知をＲＩＳ２２に送信し、さらに撮影終了通知をＲＩＳ２２に送信する。
【００８２】
このように、再度、病院内ネットワーク２１に接続したときに、実際に実施した撮影に関して撮影開始通知と撮影終了通知を送信するので、無線を使用しなくても撮影状態通知を実現することができる。
【００８３】
以上説明したように、実施形態２によれば、実施形態１で説明した効果に加えて、無線設備を設置できない病院においても、外部の情報システムに対して撮影状態通知（撮影開始通知、撮影終了通知、撮影キャンセル通知等）を実現することができる。
【００８４】
＜実施形態３＞
実施形態３で使用する移動型放射線撮影装置は、実施形態１と同等であるが、実施形態３では、放射線撮影開始通知、放射線撮影終了通知、放射線撮影キャンセル通知等の放射線撮影状態通知（以下、撮影状態通知と略称する）を送信する構成について説明する。
【００８５】
従来技術のように、病院内ネットワーク２１に、無線を介して常に接続されている使用する撮影装置では、撮影開始通知は、検査開始時にＲＩＳ２２に送信し、撮影終了通知及び撮影キャンセル通知は検査終了時にＲＩＳ２２に送信することができる。
【００８６】
これに対し、本発明の撮影装置では、無線を使用しないので回診時は検査開始時も検査終了時も病院内ネットワーク２１から切り離された状態である。従って、無線を使用する撮影装置とは異なるタイミングで撮影開始通知、撮影終了通知及び撮影キャンセル通知を送信する。以下、そのタイミングを説明する。
【００８７】
撮影開始から撮影終了までの流れは、実施形態１の図６と同様であるが、その内のステップＳ７０１の詳細は、図１１に示すフローとなる。
【００８８】
図１１は本発明の実施形態３のステップＳ７０１の処理の詳細を示すフローチャートである。
【００８９】
尚、図１１のステップＳ１００１〜ステップＳ１００４は、実施形態１の図７のステップＳ８０１〜ステップＳ８０４に対応し、その説明は省略する。
【００９０】
ステップＳ１００１〜ステップＳ１００４の処理後、実施形態３では、ステップＳ１００５で、受信した全ての撮影依頼情報に対して撮影開始通知をＲＩＳ２２に送信する。
【００９１】
このように、撮影依頼情報を受信した時に、受信した全ての撮影依頼情報に対する撮影開始通知をＲＩＳ２２に送信して撮影開始の旨を通知するので、実際の撮影開始時には通知する必要がなくなる。
【００９２】
一方、実施形態３のステップＳ７０５の詳細は、実施形態２の図１０に準じるが、実施形態３では、ステップＳ１１０４で、記憶部３６に記憶している撮影依頼情報の検査済フラグを参照して、検査済フラグがセットされている撮影依頼情報に対しては、撮影状態通知として、撮影終了通知をＲＩＳ２２に送信する。また、検査済フラグがセットされていない撮影依頼情報に対しては、撮影状態通知として、撮影キャンセル通知をＲＩＳ２２に送信する。
【００９３】
以上説明したように、実施形態３によれば、撮影依頼情報を受信した時に受信した全ての撮影開始通知をＲＩＳ２２に送信する。また、撮影終了通知や撮影キャンセル通知は、再度、病院内ネットワーク２１に接続したときにまとめて送信するので、無線を使用しなくても撮影状態通知を実現することができる。従って、無線設備を設置できない病院においても、外部の情報システムに対して、撮影状態通知（撮影開始通知、撮影終了通知、撮影キャンセル通知）を実現することができる。
【００９４】
また、複数の移動型放射線撮影装置で回診する場合であっても、回診に出るときに、受信した全ての撮影依頼の撮影開始通知をＲＩＳ２２に送信するので、ＲＩＳ２２は撮影の依頼中である否かを判断できるので、他の撮影装置に対して重複して撮影依頼を送信してしまうことを防止することができる。
【００９５】
＜実施形態４＞
実施形態４で使用する移動型放射線撮影装置は、実施形態３と同等であるが、実施形態４では、撮影終了時刻を記憶する構成を更に有している。この撮影終了時刻は、例えば、記憶部３６に記憶される。
【００９６】
尚、撮影開始から撮影終了までの流れは、実施形態３と同等である。但し、実施形態３では、ステップＳ１００５で、放射線撮影開始通知をＲＩＳ２２に送信しているが、このときの実施済手続ステップ開始日付と実施済手続ステップ開始時刻は、送信時の日付と時刻を指定すればよい。
【００９７】
しかし、図１０のステップＳ１１０４で、撮影終了通知の実施済手続ステップ終了日付と実施済手続ステップ終了時刻に送信時の日付と時刻を指定すると、複数の撮影を行った場合は、正しい日付と時刻が設定されるのは最後の撮影の撮影終了通知のみとなる。
【００９８】
そこで、ステップＳ１１０１において、検査済フラグをセットすると同時にその時点の日付と時刻を撮影終了時刻として、記憶部３６に記憶する。さらに、ステップＳ１１０４において撮影終了通知を送信するときは、この記憶部３６に記憶されている撮影終了時刻が示す日付と時刻を撮影終了通知の実施済手続ステップ終了日付と実施済手続ステップ終了時刻に設定する。
【００９９】
以上説明したように、実施形態４によれば、リアルタイムで撮影終了通知を送信できない無線を使用しない撮影装置においても、外部の情報システムに通知する撮影終了通知に実際の撮影終了の時刻情報を含めることができる。
【０１００】
＜実施形態５＞
実施形態５で使用する移動型放射線撮影装置は、実施形態２と同等であり、実施形態５では、撮影開始時刻と撮影終了時刻を記憶する構成を更に有している。この撮影開始時刻と撮影開始時刻は、例えば、記憶部３６に記憶される。
【０１０１】
尚、撮影開始から撮影終了までの流れは、実施形態２と同等である。但し、実施形態５では、ステップＳ１１０４で、撮影開始通知と撮影終了通知を送信する際、送信時の日付と時刻を指定すると正しい開始時刻と終了時刻にならない。
【０１０２】
そこで、実施形態５では、ステップＳ７０３で、特定の撮影依頼情報が選択された際、その時点の日付と時刻を撮影開始時刻として記憶部３６に記憶する。
【０１０３】
また、図１０のステップＳ１１０１で、検査済フラグをセットすると同時にその時点の日付と時刻を終了時刻として記憶部３６に記憶する。さらに、ステップＳ１１０４で、撮影開始通知を送信するときは、記憶部３６に記憶しておいた撮影開始時刻を、実施済手続ステップ開始日付と実施済手続ステップ開始時刻に設定する。また、撮影終了通知を送信するときは、記憶部３６に記憶しておいた撮影終了時刻を、実施済手続ステップ終了日付と実施済手続ステップ終了時刻に設定する。
【０１０４】
以上説明したように、実施形態５によれば、リアルタイムで撮影開始通知／撮影終了通知を送信できない無線を使用しない撮影装置においても、外部の情報システムに通知する撮影開始通知／撮影終了通知に実際の撮影開始／撮影終了の時刻情報を含めることができる。
【０１０５】
以上説明したように、本発明の移動型放射線撮影装置によれば、無線設備を導入できない病院においても、外部の情報システムから取得した放射線撮影依頼情報に基づいた撮影を行うことができる。また、外部の情報システムに対して撮影開始または撮影終了の通知ができる。
【０１０６】
従って、本発明の移動型放射線撮影装置は、常にネットワークにつながっている撮影装置と同様に撮影情報を会計情報へ反映する等の業務を効率化に寄与することができる。また、ネットワーク接続を検知した際、外部の情報システムに通知する情報に実際の撮影開始／撮影終了の時刻情報を含めることができる。
【０１０７】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１０８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１０９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１１０】
その場合、プログラムの機能を有していれば、オブジェクトコード、インタプリタにより実行されるプログラム、ＯＳに供給するスクリプトデータ等の形態であっても良い。
【０１１１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１１２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１１５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１１６】
【図１】本発明の実施形態１の移動型放射線撮影装置の模式図である。
【図２】本発明の実施形態１の情報システムの構成を示す図である。
【図３】本発明の実施形態１の移動型放射線撮影装置の内部構成を示すブロック図である。
【図４】本発明の実施形態１の撮影依頼情報要求の一例を示す図である。
【図５】本発明の実施形態１の撮影依頼情報の一例を示す図である。
【図６】本発明の実施形態１の移動型放射線撮影装置が実行する処理を示すフローチャートである。
【図７】本発明の実施形態１のステップＳ７０１の処理の詳細を示すフローチャートである。
【図８】本発明の実施形態１のステップＳ７０５の処理の詳細を示すフローチャートである。
【図９】本発明の実施形態２の撮影状態通知の一例を示す図である。
【図１０】本発明の実施形態２のステップＳ７０５の処理の詳細を示すフローチャートである。
【図１１】本発明の実施形態３のステップＳ７０１の処理の詳細を示すフローチャートである。
【符号の説明】
【０１１７】
１１  移動型放射線撮影装置
１２  可動形アーム
１３  Ｘ線管球
１４  Ｘ線検出部
２１  病院内ネットワーク
２２  ＲＩＳ
２３  ＰＡＣＳ
３１  コントロール部
３２  ＮＩＣ
３３  表示・操作部
３４  バッテリー
３５  発生部
３６  記憶部
３７  検知部
【図１】
2006304886.tif 000003
【図２】
2006304886.tif 000004
【図３】
2006304886.tif 000005
【図４】
2006304886.tif 000006
【図５】
2006304886.tif 000007
【図６】
2006304886.tif 000008
【図７】
2006304886.tif 000009
【図８】
2006304886.tif 000010
【図９】
2006304886.tif 000011
【図１０】
2006304886.tif 000012
【図１１】
2006304886.tif 000013